(57)【要約】      （修正有）【課題】縦フレームに対して横フレームを確実に固定し、強度と形状が維持出来るフレーム連結具を提供する。【解決手段】横フレーム１の端部に、直方体のブロック材２を取り付け、ブロック材２の端部の中心に略三角形の凹部４を設け、連結相手となる断面がコの字状の縦フレーム５のコの字状断面底部の中心に、該略三角形の凹部４を設け、横フレーム１と縦フレーム５を連結する際に、横フレーム１の中心と縦フレーム５の中心が同心位置で連結する。また、前記縦フレーム５の側面の任意の高さに貫通穴７を設け、貫通穴７に保持ピン８を挿入し、縦フレーム５と横フレーム１を連結する際に、保持ピン８により縦フレーム５の略三角形の凸部６と、横フレーム１に取り付けられたブロック材２の略三角形の凹部４が密着するように、ブロック材２の一部に、保持ピン８を縦フレーム５のコの字状断面底部に引き寄せるテーパ状の切欠き９を設ける。【選択図】図１
2011131029.tif 000002
【特許請求の範囲】
【請求項１】
アルミフレーム等の組み合わせにより、骨組みを形成するための連結部において、横フレームの端部に、直方体のブロック材を取り付け、ブロック材の端部の中心に略三角形の凹部または凸部を設け、連結相手となる断面がコの字状の縦フレームのコの字状断面底部の中心に、該略三角形の凹部または凸に勘合する凸部または凹部を設け、横フレームと縦フレームを連結する際に、横フレームの中心と縦フレームの中心が同心位置で連結されることを特徴とするフレーム連結具。
【請求項２】
前記縦フレームの側面の任意の高さに貫通穴を設け、貫通穴に保持ピンを挿入し、縦フレームと横フレームを連結する際に、保持ピンにより縦フレームの略三角形の凸部または凹部と、横フレームに取り付けられたブロック材の略三角形の凹部または凸部が密着すように、ブロック材の一部に、保持ピンを縦フレームのコの字状断面底部に引き寄せるテーパ状の切欠きを設けた、請求項１記載のフレーム連結具。
【発明の詳細な説明】
【技術分野】
【０００１】  本発明は、組立式の架台、棚、展示台等の支持フレームを連結して組み立てる際に使用するアルミフレーム等の組立連結具に関する。
【背景技術】
【０００２】  従来、アルミニウム製のフレームを連結して、架台、棚、展示台等を組み立てる場合は、多数のフレーム材を用いて、支柱となる縦フレームに横フレームの端部を直角に合わせて、縦フレームの外側から横フレームの端部を螺旋などで締め付けて固定する方法や、横フレームの端部内に金属や樹脂製の連結部品を組み込んだ後、連結部品を介して縦フレームと横フレームを直角に合わせ、縦フレームの外側から連結部品にネジ止めする方法などがあった。
【先行技術文献】
【特許文献】
【０００３】
【特許文献１】特開平９−１１２１４８号
【発明の概要】
【発明が解決しようとする課題】
【０００４】  上記の従来技術では、強度と形状を必要とする架台、棚、展示台等のフレームを組み立てることが難しく、このような強度と形状を維持するためには、縦フレームと横フレームの連結個所を強固に接続固定する必要があり、そのため連結部品点数の増加や複雑な形状になり、コストアップや組立作業の効率が悪い等の問題があった。【０００５】  本発明は、縦フレームと横フレームの連結により、架台、棚、展示台等を組み立てる場合、シンプルな構造の連結部品でコストダウンを図ると共に、組立作業の効率的を図ることができ、縦フレームに対して横フレームを確実に固定し、強度と形状が維持出来るフレーム連結具を提供することである。
【課題を解決するための手段】
【０００６】  アルミフレーム等の組み合わせにより、骨組みを形成するための連結部において、横フレームの端部に、直方体のブロック材を取り付け、ブロック材の端部の中心に略三角形の凹部または凸部を設け、連結相手となる断面がコの字状の縦フレームのコの字状断面底部の中心に、該略三角形の凹部または凸に勘合する凸部または凹部を設け、横フレームと縦フレームを連結する際に、横フレームの中心と縦フレームの中心が同心位置で連結する。【０００７】  また、前記縦フレームの側面の任意の高さに貫通穴を設け、貫通穴に保持ピンを挿入し、縦フレームと横フレームを連結する際に、保持ピンにより縦フレームの略三角形の凸部または凹部と、横フレームに取り付けられたブロック材の略三角形の凹部または凸部が密着すように、ブロック材の一部に、保持ピンを縦フレームのコの字状断面底部に引き寄せるテーパ状の切欠きを設ける。
【発明の効果】
【０００８】  本発明のアルミフレーム等の連結具は、縦フレームと横フレームの連結により、架台、棚、展示台等を組み立てる場合、シンプルな構造の連結部品でコストダウンを図ると共に、組立作業の効率を上げることができる。また、縦フレームに保持ピンを設けるだけで、任意の高さに横フレームを取り付けることが出来るため、自在な組み合わせによるレイアウトが可能になり、縦フレームの凸部と横フレームの凹部の密着により、固定力が高く、水平、垂直方向の位置精度も決めることが出来る。
【図面の簡単な説明】
【０００９】
【図１】本発明の連結部の斜視図。
【図２】本発明の連結部の上面図。
【図３】本発明の連結部の側面図。
【図４】連結前の図３のＢ−Ｂ’断面図。
【図５】連結後の図３のＢ−Ｂ’断面図。
【図６】連結前の図２のＡ−Ａ’断面図。
【図７】連結後の図２のＡ−Ａ’断面図。
【図８】横フレームと保持ピンの関係図。
【図９】横フレームと保持ピンの関係図。
【図１０】保持ピンの取り付け方法図。
【図１１】保持ピンの挿入穴の図。
【図１２】本発明の全体組立図。
【図１３】凹凸部が台形の図。
【図１４】凹凸部が逆の組み合わせの図。
【発明を実施するための形態】
【００１０】  縦フレームと横フレームの連結において、固定力が高く、水平、垂直方向の位置精度も決めるという目的を、シンプルな構造の連結部品でコストダウンを図ると共に、組立作業の効率を上げることを実現した。
【実施例１】
【００１１】  図１は本発明の強度と形状を必要とする架台、棚、展示台等をアルミフレーム等の組み合わせにより、骨組みを形成するための連結部の斜視図で、図２は連結部の上面図、図３は連結部の側面図で、横フレーム１の端部に、直方体のブロック材２を、横フレーム１の中心とブロック材２の中心が一致するように、連結ピン３にて取り付ける。【００１２】  図４は連結前の図３のＢ−Ｂ’断面図で、ブロック材２の端部には三角形の頂点がブロック材２の中心となる位置に、略三角形の凹部４を形成する。連結相手となる縦フレーム５は断面がコの字状を形成し、コの字状断面の底部には、三角形の頂点が縦フレーム５の中心となる位置に、前記ブロック材２の該略三角形の凹部４に勘合する略三角形の凸部６を形成する。【００１３】  図５は連結後の図３のＢ−Ｂ’断面図で、横フレーム１と縦フレーム５を連結する際、横フレーム１に取り付けられたブロック材２の略三角形の凹部４と、縦フレーム５の略三角形の凸部６が密着し、横フレーム４の中心と縦フレーム５の中心が同心位置で位置決めされる。【００１４】  図６は連結前の図２のＡ−Ａ’断面図で、縦フレーム５の側面に横フレーム１を取り付ける任意の高さに鍵形の貫通穴７を設け、鍵形の貫通穴７に保持ピン８を挿入し、横フレーム１に取り付けられたブロック材２には、テーパ状の切り欠き９を設ける。【００１５】  図７は連結後の図２のＡ−Ａ’断面図で、横フレーム１と縦フレーム５を連結する際、横フレーム１に取り付けられたブロック材２のテーパ状の切り欠９きを、縦フレーム５の鍵形の貫通穴７に挿入された保持ピン８に填めることにより、横フレーム１に取り付けられたブロック材２の略三角形の凹部４と、縦フレーム５の略三角形の凸部６が密着し、横フレーム１の中心と縦フレーム５の中心が同心位置で位置決めされる。【００１６】  図８および図９は、横フレーム１に取り付けられたブロック材２のテーパ状の切り欠き９と、縦フレーム５の鍵形の貫通穴７に挿入された保持ピン８との関係図で、ブロック材２の切り欠き部９は口元が広いテーパ状に形成され、図８のように横フレーム１に取り付けられたブロック材２を、上から押し込むことにより、保持ピン８がブロック材２の切り欠き９に填り、更に押し込むと図９のようにブロック材２はテーパ状の切り欠き９部の傾斜により、図左の方向に押され、横フレーム１に取り付けられたブロック材２の略三角形の凹部４と、縦フレーム５の略三角形の凸部６が強固に密着する。【００１７】  図１０は縦フレーム５に取り付ける保持ピン８の取り付け方法を表す図で、保持ピン８を挿入するための貫通穴７は鍵形に形成され、挿入する保持ピン８は両端を拡径させ、保持ピン８を鍵形の大径穴部から挿入し、図下方向に移動して取り付けることにより、保持ピン８を縦フレーム５の側面から着脱できるようにしている。また、保持ピン８を挿入するための鍵形状の貫通穴７は、図１１のように下部を傾斜させることにより、保持ピン８とブロック材２の切り欠き９部が噛み合い、横フレーム１を外れにくくしている。【００１８】  尚、前記連結構造により強度と形状を必要とする架台、棚、展示台等をアルミフレーム等の組み合わせにより、骨組みを形成する際に��、図１２のように横フレーム１の両端にブロック材２を取り付け、縦フレーム５の任意の高さに複数箇所の保持ピン８を設けることにより、様々な用途に応じたフレーム構造を形成することが出来る。
【実施例２】
【００１９】  前記実施例では１横フレームの端部に取り付けた直方体のブロック材２に設けた凹部４と、縦フレーム５の中心となる位置に、前記ブロック材２の該略三角形の凹部４に勘合する凸部６の形状を略三角形としたが、図１３のように略三角形の頂点をカットした台形も略三角形とみなすことができ、横フレーム１と縦フレーム５を連結した際には、横フレーム１の中心と縦フレーム５の中心が同心位置で位置決めされる。【００２０】  また、前記実施例では横フレーム１の端部に取り付けた直方体のブロック材２の端部に三角形の頂点がブロック材２の中心となる位置に、略三角形の凹部４を形成し、連結相手となる縦フレーム５は断面がコの字状を形成し、コの字状断面の底部には、三角形の頂点が縦フレーム５の中心となる位置に、前記ブロック材２の該略三角形の凹部４に勘合する略三角形の凸部６を設けたが、図１４のように横フレーム１の端部に取り付けた直方体のブロック材２の端部に三角形の頂点がブロック材２の中心となる位置に、略三角形の凸部１０を形成し、連結相手となる縦フレーム５は断面がコの字状を形成し、コの字状断面の底部には、三角形の頂点が縦フレーム５の中心となる位置に、前記ブロック材２の該略三角形の凸部１０に勘合する略三角形の凹部１１を設けても、前記と同様の効果が果たされる。
【産業上の利用可能性】
【００２１】  縦フレームと横フレームの連結により、架台、棚、展示台等を組み立てる際に、シンプルな構造の連結部品でコストダウンを図ると共に、組立作業の効率を上げることができる。また、縦フレームの任意の高さに横フレームを取り付けることが出来るため、自在な組み合わせによるレイアウトが可能で、縦フレームと横フレームの固定力が高く、水平、垂直方向の位置精度も決めることが出来る。
【符号の説明】
【００２２】  １    横フレーム
２    ブロック材
３    連結ピン
４    凹部
５    縦フレーム
６    凸部
７    貫通穴
８    保持ピン
９    切り欠き
【図１】
2011131029.tif 000003
【図２】
2011131029.tif 000004
【図３】
2011131029.tif 000005
【図４】
2011131029.tif 000006
【図５】
2011131029.tif 000007
【図６】
2011131029.tif 000008
【図７】
2011131029.tif 000009
【図８】
2011131029.tif 000010
【図９】
2011131029.tif 000011
【図１０】
2011131029.tif 000012
【図１１】
2011131029.tif 000013
【図１２】
2011131029.tif 000014
【図１３】
2011131029.tif 000015
【図１４】
2011131029.tif 000016